(57)【要約】【課題】  指先静脈情報及び手のひら静脈情報のいずれかを用いて利用者の個人識別を行う安価な個人認証システムを提供する。【解決手段】  予め登録した登録指先静脈情報及び登録手のひら静脈情報のいずれか一方を保持する媒体と、媒体から登録指先静脈情報及び登録手のひら静脈情報のいずれか一方を読み取る読取部と、手を所定撮像位置に位置決めする位置決め手段と、手の指先を撮影する指先撮影部と、手のひらを撮影する手のひら撮影部と、媒体から読み取った静脈情報が指先静脈情報及び手のひら静脈情報のいずれかを判定する静脈情報種類判定部と、判定した静脈情報に対応させて指先撮影部及び手のひら撮影部のいずれか一方に撮影を指示する撮影指示手段と、取得した画像から静脈パターンを抽出して静脈情報を生成する生体情報生成部と、静脈情報と登録静脈情報とを照合し、利用者が本人か否かを判定する生体認証判定部とを備える。【選択図】  図１
2007334659.tif 000002
【特許請求の範囲】
【請求項１】
利用者が予め登録した登録指先静脈情報及び登録手のひら静脈情報のいずれか一方を保持する媒体と、前記媒体から前記登録指先静脈情報及び前記登録手のひら静脈情報のいずれか一方を読み取る読取部とを含む個人認証システムにおいて、
前記利用者の手を所定撮像位置に位置決めする位置決め手段と、
前記位置決めされた前記利用者の手の指先を撮影する指先撮影部と、
前記位置決めされた前記利用者の手のひらを撮影する手のひら撮影部と、
前記読取部で媒体から読み取った静脈情報が指先静脈情報及び手のひら静脈情報のいずれかを判定する静脈情報種類判定部と、
前記判定した静脈情報に対応させて前記指先撮影部及び手のひら撮影部のいずれか一方に撮影を指示する撮影指示手段と、
前記撮影の指示に基づいて取得した画像から静脈パターンを抽出して静脈情報を生成する生体情報生成部と、
前記生成した静脈情報と前記読み取った登録静脈情報とを照合し、利用者が本人か否かを判定する生体認証判定部とを備えることを特徴とする個人認証システム。
【請求項２】
利用者が予め登録した登録指先静脈情報及び登録手のひら静脈情報のいずれか一方を保持する媒体と、前記媒体から前記登録指先静脈情報及び前記登録手のひら静脈情報のいずれか一方を読み取る読取部とを含む個人認証システムにおいて、
前記利用者の手を所定撮像位置に位置決めする位置決め手段と、
前記位置決めされた前記利用者の手の指先及び手のひらを撮影する指先手のひら撮影部と、
前記読取部で媒体から読み取った静脈情報が指先静脈情報及び手のひら静脈情報のいずれかを判定する静脈情報種類判定部と、
前記判定した静脈情報に対応させて前記取得した画像から指先及び手のひらのいずれか一方の静脈パターンを抽出して静脈情報を生成する生体情報生成部と、
前記生成した静脈情報と前記読み取った登録静脈情報とを照合し、利用者が本人か否かを判定する生体認証判定部とを備えることを特徴とする個人認証システム。
【発明の詳細な説明】
【技術分野】
【０００１】
本発明は、指先及び手のひらのいずれかの静脈パターンを用いて個人を識別する生体認証手段を有する個人認証システムに関する。
【背景技術】
【０００２】
近年、不正者の偽造カードの使用及び顧客なりすましによる不正出金の被害は増え続け、それと同時に該被害額は膨大となり、該不正出金を防止することが金融業界における緊急課題となっている。そのため、金融業界では、不正出金防止対策として、本人認証率が極めて高い顧客の生体的特徴を用いて顧客認証を行う生体認証手段を有する金融取引システム、例えば特許文献１に開示されているような、顧客の指先の静脈パターンを用いて顧客の個人認証を行う「指先静脈」認証端末を有する自動取引装置を含むシステムが導入されている。
【０００３】
また、例えば特許文献２に開示されているような、顧客の手のひらの静脈パターンを用いて顧客の個人認証を行う「手のひら静脈」認証端末を有する自動取引装置も実用化されている。
【特許文献１】特開平１１−２０３４５２号公報
【特許文献２】特開２００５−２２８２９０号公報
【発明の開示】
【発明が解決しようとする課題】
【０００４】
しかしながら、各金融機関の設置する自動取引装置は、上記いずれかの認証手段を有するにすぎず、顧客は、金融取引を行うために必ず口座を有する金融機関の店舗まで出向いて、該金融機関が設置した生体認証手段を備えた自動取引装置を操作しなければならなかった。
【０００５】
上記問題の解決方法として、各金融機関が「指先静脈」認証端末及び「手のひら静脈」認証端末を有する自動取引装置を設置するという方法が考えられる。しかしながら、上記方法では、システム構成費が高額になってしまうという問題がある。
【０００６】
以上の問題点を鑑み、本発明の目的は、指先静脈認証端末及び手のひら静脈認証端末を併設することなく、利用者から指先及び手のひらの静脈パターンを取得することができ、かつ該指先及び手のひらのいずれかの静脈パターンを用いて個人識別を行うことを可能とする安価な個人認証システムを提供することである。
【課題を解決するための手段】
【０００７】
本発明は、以上の点を解決するために、次の構成を採用する。
＜構成１＞
本発明の個人認証システムは、利用者が予め登録した登録指先静脈情報及び登録手のひら静脈情報のいずれか一方を保持する媒体と、媒体から登録指先静脈情報及び登録手のひら静脈情報のいずれか一方を読み取る読取部とを含む個人認証システムにおいて、利用者の手を所定撮像位置に位置決めする位置決め手段と、位置決めされた利用者の手の指先を撮影する指先撮影部と、位置決めされた利用者の手のひらを撮影する手のひら撮影部と、読取部で媒体から読み取った静脈情報が指先静脈情報及び手のひら静脈情報のいずれかを判定する静脈情報種類判定部と、判定した静脈情報に対応させて指先撮影部及び手のひら撮影部のいずれか一方に撮影を指示する撮影指示手段と、撮影の指示に基づいて取得した画像から静脈パターンを抽出して静脈情報を生成する生体情報生成部と、生成した静脈情報と読み取った登録静脈情報とを照合し、利用者が本人か否かを判定する生体認証判定部とを備えることを特徴とする。
【０００８】
＜構成２＞
本発明の個人認証システムは、利用者が予め登録した登録指先静脈情報及び登録手のひら静脈情報のいずれか一方を保持する媒体と、媒体から登録指先静脈情報及び登録手のひら静脈情報のいずれか一方を読み取る読取部とを含む個人認証システムにおいて、利用者の手を所定撮像位置に位置決めする位置決め手段と、位置決めされた利用者の手の指先及び手のひらを撮影する指先手のひら撮影部と、読取部で媒体から読み取った静脈情報が指先静脈情報及び手のひら静脈情報のいずれかを判定する静脈情報種類判定部と、判定した静脈情報に対応させて取得した画像から指先及び手のひらのいずれか一方の静脈パターンを抽出して静脈情報を生成する生体情報生成部と、生成した静脈情報と読み取った登録静脈情報とを照合し、利用者が本人か否かを判定する生体認証判定部とを備えることを特徴とする。
【発明の効果】
【０００９】
本発明によれば、指先静脈認証端末及び手のひら静脈認証端末を併設することなく、利用者から指先及び手のひらの静脈パターンを取得することができ、かつ該指先及び手のひらのいずれかの静脈パターンを用いて個人識別を行うことが出来る。
【００１０】
以下、本発明の実施形態について図を用いて詳細に説明する。
【実施例１】
【００１１】
＜実施例１の構成＞
本発明の実施例１の個人認証システムは、図１に示すように、ＩＣカード１００と、自動取引装置２００と、該自動取引装置２００とネットワーク５００を介して接続されている自行ホスト３００と、他行ホスト４００とで構成されている。ここで、上記システムは、例えば金融機関に導入され、金融取引時における顧客の本人認証に用いられる。
【００１２】
ところで、説明を簡便に行うべく、図１には１台の自動取引装置２００のみが示されているが、ネットワーク５００には自動取引装置２００と同様の機能を有する多数の自動取引装置２００が接続されている。
【００１３】
また、図１には１台の他行ホスト４００のみが示されているが、ネットワーク５００には更に他の他行ホストが接続されている。ここで、他行ホスト４００は、他行の顧客情報の管理、金融取引処理などを行う装置であり、自行ホスト３００と同様の機能を有する。
【００１４】
ＩＣカード１００は、顧客が保持するキャッシュカードであり、ＣＰＵ（Ｃｅｎｔｒａｌ  Ｐｒｏｃｅｓｓｉｎｇ  Ｕｎｉｔ）１０１と、口座情報保持部１０２と、顧客生体情報保持部１０３と、生体認証判定部１０４とを備える。
【００１５】
口座情報保持部１０２は、ＩＣカード１００を保有する顧客の口座情報（金融機関コード、支店コード、口座番号など）を保持する部である。
【００１６】
顧客生体情報保持部１０３は、予め登録した顧客の生体的特徴を示す顧客生体情報を保持する部であり、顧客の指先静脈パターンをコード化した顧客指先静脈情報及び顧客の手のひら静脈パターンをコード化した顧客手のひら静脈情報のいずれかを保持する。
【００１７】
ＣＰＵ１０１は、自動取引装置２００から後述する指先静脈情報及び手のひら静脈情報のいずれかを取得すると、生体認証判定部１０４へ生体認証判定を指示する。
【００１８】
生体認証判定部１０４は、生体認証判定の指示を受けると、顧客生体情報保持部１０３で保持する顧客の生体情報と、上記指先静脈情報及び手のひら静脈情報のいずれかとを照合して一致不一致を判定する部である。
【００１９】
そして、生体認証判定部１０４が照合一致と判定すると、ＣＰＵ１０１は、認証一致信号を生成し、該認証一致信号を自動取引装置２００へ供給する。
【００２０】
一方、生体認証判定部１０４が照合不一致と判定すると、ＣＰＵ１０１は、認証不一致信号を生成し、該認証不一致信号を自動取引装置２００へ供給する。
【００２１】
自動取引装置２００は、顧客が例えば現金引出などの金融取引を行うために操作する装置であり、ネットワーク５００に接続されている通信部２０１と、制御部２０２と、表示部２０３と、カード読取部２０４と、一時記憶部２０５と、静脈情報種類判定部２０６と、生体情報読取部２０７と、生体情報生成部２０８と、入力部２０９と、入出金部２１０とを備える。
【００２２】
生体情報読取部２０７は、自動取引装置２００を操作する顧客から指先静脈パターンを示す指先静脈情報及び手のひら静脈パターンを示す手のひら静脈情報のいずれかを読み取る部であり、手のひら固定器２０７１と、手のひら固定器支柱２０７２と、ＩＲ（Ｉｎｆｒａｒｅｄ  Ｒａｙｓ）照明２０７３と、指先撮影用カメラ２０７４と、手のひら撮影用カメラ２０７５と、ガラス板２０７６とを備える。図２に本発明に係る実施例１の生体情報読取部２０７の構成を示す。
【００２３】
手のひら固定器２０７１及び手のひら固定器支柱２０７２は、顧客の指先を指先撮影用カメラ２０７４で撮影する及び顧客の手のひらを手のひら撮影用カメラ２０７５で撮影するいずれかを行うために、顧客の手のひらを位置決めするための器具であり、該手のひら固定器支柱２０７２が該手のひら固定器２０７１を下方から支える構成になっている。
【００２４】
手のひら固定器２０７１は、顧客の右手の中指及び薬指の間に設置されることにより、手のひらを固定する形状及び機能を有する。図２に示すように、手のひら固定器２０７１の寸法は、縦＝２０ｍｍ、横＝１５ｍｍ、高さ＝３０ｍｍ、中指と薬指の間となる部分の距離＝５ｍｍである。そして、手のひら固定器支柱２０７２の寸法は、直径＝１０ｍｍであり、手のひら固定器２０７１から指先撮影用カメラ２０７４及び手のひら撮影用カメラ２０７５までの焦点距離が５０ｍｍとなるように構成されている。更に、手のひら固定器支柱２０７２は、指先撮影用カメラ２０７４と、手のひら撮影用カメラ２０７５との間に設置されている。図３に生体情報読取部２０７における顧客の生体情報読取時の一例を示す。
【００２５】
ＩＲ照明２０７３は、顧客の指先及び手のひらに近赤外線を照射するための照明器具であり、生体情報読取部２０７に備える図示しないセンサが手のひら固定器２０７１に顧客の手のひらが固定されたことを感知すると、該顧客の指先及び手のひらに近赤外線を照射する。静脈中の還元ヘモグロビンが近赤外線を吸収する特性があるので、ＩＲ照明２０７３を用いて顧客の指先及び手のひらに近赤外線を照射すると、静脈の部分だけ該近赤外線の反射が少なくなる。よって、顧客の指先及び手のひらにＩＲ照明２０７３を用いて近赤外線を照射して、該指先及び手のひらを撮影装置で撮影すると、近赤外線の反射の強弱から指先及び手のひらの静脈パターンの画像を取得することができる。
【００２６】
指先撮影用カメラ２０７４は、顧客の指先の静脈パターンを撮影するための狭角のカメラであり、後述する指先撮影の指示を受け、生体情報読取部２０７に備えた図示しないセンサが手のひら固定器２０７１に顧客の手のひらが固定されたことを感知すると、ＩＲ照明２０７３から近赤外線を照射された顧客の指先を撮影して指先の静脈パターンを示す指先静脈画像を生成する。
【００２７】
手のひら撮影用カメラ２０７５は、顧客の手のひらの静脈パターンを撮影するための狭角のカメラであり、手のひら撮影の指示を受け、生体情報読取部２０７に備えた図示しないセンサが手のひら固定器２０７１に顧客の手のひらが固定されたことを感知すると、ＩＲ照明２０７３から近赤外線を照射された顧客の手のひらを撮影して手のひら静脈パターンを示す手のひら静脈画像を生成する。
【００２８】
指先撮影用カメラ２０７４及び手のひら撮影用カメラ２０７５の撮影範囲の一例を図４に示す。指先撮影用カメラ２０７４と、手のひら撮影用カメラ２０７５とは、画像の歪みの少ない狭角のカメラであるため、両カメラとも手全体を撮影することが出来ない。即ち、指先撮影用カメラ２０７４の撮影範囲は、指先を中心とした手のひらの上部であり、手のひら撮影用カメラ２０７５の撮影範囲は、手のひらの中央部となる。図４の（ａ）に指先撮影用カメラ２０７４側の視点の一例を示す。また、図４の（ｂ）に手のひら撮影用カメラ２０７５側の視点の一例を示す。
【００２９】
ガラス板２０７６は、ＩＲ照明２０７３と、指先撮影用カメラ２０７４と、手のひら撮影用カメラ２０７５とを覆うカバーとして用いられ、顧客の手のひらが該ＩＲ照明２０７３と、該指先撮影用カメラ２０７４と、該手のひら撮影用カメラ２０７５とに直接触れることを防止する。
【００３０】
制御部２０２は、図示しないメモリの制御プログラムを実行し、顧客にＩＣカード１００を図示しないカード挿入部に挿入させるためのカード挿入指示画面を表示部２０３に表示させる。
【００３１】
顧客が表示部２０３に表示されたカード挿入指示画面を参照して図示しないカード挿入部にＩＣカード１００を挿入すると、カード読取部２０４は、該ＩＣカード１００で保持する口座情報と、顧客生体情報との読み取りを行う。
【００３２】
カード読取部２０４がＩＣカード１００で保持する口座情報と、顧客生体情報とを読み取ると、制御部２０２は、該口座情報と、該顧客生体情報とを一時記憶部２０５に記憶すると共に、静脈情報種類判定部２０６へ静脈情報の種類の判定を指示する。
【００３３】
そして、制御部２０２は、静脈情報種類判定部２０６へ静脈情報の種類の判定を指示すると共に、図示しないメモリの制御プログラムを実行し、顧客に対して顧客の右手の中指及び薬指を生体情報読取部２０７の手のひら固定器２０７１に固定するよう指示する手のひら固定指示画面を表示部２０３に表示させる。
【００３４】
静脈情報種類判定部２０６は、一時記憶部２０５で保持する顧客生体情報が顧客指先静脈情報及び顧客手のひら静脈情報のいずれかを判定する部であり、静脈情報の種類の判定の指示を受けると、コードデータである該顧客生体情報から指先静脈及び手のひら静脈いずれかの種類を示す特徴コードを抽出し、該特徴コードに基づいて顧客指先静脈情報であるか、顧客手のひら静脈情報であるかを判定する。
【００３５】
そして、静脈情報種類判定部２０６が顧客指先静脈情報であると判定すると、制御部２０２は、指先撮影用カメラ２０７４へ指先撮影を指示する。
【００３６】
一方、静脈情報種類判定部２０６が顧客手のひら静脈情報であると判定すると、制御部２０２は、手のひら撮影用カメラ２０７５へ手のひら撮影を指示する。
【００３７】
指先撮影用カメラ２０７４が指先静脈画像を生成すると、制御部２０２は、生体情報生成部２０８へ指先静脈情報の生成を指示する。
【００３８】
一方、手のひら撮影用カメラ２０７５が手のひら静脈画像を生成すると、制御部２０２は、生体情報生成部２０８へ手のひら静脈情報の生成を指示する。
【００３９】
生体情報生成部２０８は、指先静脈情報の生成の指示を受けると、指先静脈情報生成部２０８１を用いて生体情報読取部２０７で生成した指先静脈画像から例えば人差し指の指先の静脈パターンを抽出し、該指先の静脈パターンをコード化した指先静脈情報を生成する。ここで、指先静脈情報生成部２０８１は、図示しない制御プログラムの設定に基づいて上記指先静脈画像から例えば人差し指の指先の位置を推定し、上記指先静脈情報を生成するものとする。
【００４０】
一方、生体情報生成部２０８は、手のひら静脈情報の生成の指示を受けると、手のひら静脈情報生成部２０８２を用いて生体情報読取部２０７で生成した手のひら静脈画像から手のひらの静脈パターンを抽出し、該手のひらの静脈パターンをコード化した手のひら静脈情報を生成する。ここで、手のひら静脈情報生成部２０８２は、図示しない制御プログラムの設定に基づいて上記手のひら静脈画像から手のひらの位置を推定し、上記手のひら静脈情報を生成するものとする。
【００４１】
生体情報生成部２０８で指先静脈情報を生成すると、制御部２０２は、該指先静脈情報をＩＣカード１００へ供給する。
【００４２】
一方、生体情報生成部２０８で手のひら静脈情報を生成すると、制御部２０２は、該手のひら静脈情報をＩＣカード１００へ供給する。
【００４３】
そして、制御部２０２は、ＩＣカード１００から認証一致信号を取得すると、図示しないメモリの制御プログラムを実行し、顧客が出金要求額を入力するための出金要求額入力画面を生成し、該出金要求額入力画面を表示部２０３に備えるディスプレイに表示させる。
【００４４】
一方、制御部２０２は、ＩＣカード１００から認証不一致信号を取得すると、図示しないメモリの制御プログラムを実行し、生体認証不一致を通知する生体認証不一致通知画面を生成し、該生体認証不一致通知画面を表示部２０３に備えるディスプレイに表示させ、図示しないカード排出部からＩＣカード１００を排出し、金融取引処理を中止する。
【００４５】
顧客が表示部２０３に表示された上記出金要求額を参照して入力部２０９から出金要求額を入力すると、制御部２０２は、該出金要求額と、一時記憶部２０５で保持する口座情報とを自行ホスト３００へ送信する。
【００４６】
これにより、制御部２０２は、自行ホスト３００から後述する出金許可信号を取得すると、入出金部２１０を動作させるので、入出金部２１０は、出金要求額分の紙幣を出金する。そして、入出金部２１０が出金を終了すると、制御部２０２は、出金額と、一時記憶部２０５で保持する口座情報とを自行ホスト３００へ送信すると共に、図示しない排出部からＩＣカード１００を排出し、金融取引処理を終了する。
【００４７】
また、制御部２０２は、自行ホスト３００から後述する出金不可信号を取得すると、図示しないメモリの制御プログラムを実行し、顧客に対して預金残高が出金要求額より小さいため出金が不可であることを通知する出金不可通知画面を表示部２０３に備えるディスプレイに表示させ、図示しない排出部からＩＣカード１００を排出し、金融取引処理を中止する。
【００４８】
自行ホスト３００は、自行の顧客情報の管理、金融取引処理などを行う装置であり、ネットワーク５００に接続されている通信部３０１と、装置全体を制御する制御部３０２と、一時記憶部３０３と、顧客情報データベース（ＤＢ）３０４と、顧客情報管理部３０５とを備える。
【００４９】
顧客情報ＤＢ３０４は、顧客毎の顧客情報を保持する部であり、顧客情報として顧客口座情報（金融コード、支店コード、口座番号など）と、顧客個人情報（氏名、生年月日、住所、職業、家族構成等）、残高情報、出入金情報などで構成されている。
【００５０】
制御部２０２は、自動取引装置２００から口座情報（金融機関コード、支店コード、口座番号など）と、出金要求額とを取得すると、該口座情報と該出金要求額とを一時記憶部３０３に記憶し、担当ホスト判定部３０６へ担当ホストの判定を指示する。
【００５１】
担当ホスト判定部３０６は、担当ホスト判定の指示を受けると、一時記憶部３０３で保持する口座情報の金融機関コードに基づいて自行ホスト３００で保持する図示しない金融機関情報データベース（ＤＢ）を検索し、該金融機関コードが自行金融機関コードであると、自行ホスト担当と判定する。
【００５２】
また、担当ホスト判定部３０６は、上記金融機関コードが他行金融機関コードであると、他行ホスト担当と判定する。
【００５３】
担当ホスト判定部３０６が上記口座情報を自行ホスト担当であると判定すると、制御部３０２は、顧客情報管理部３０５へ出金判定を指示する。
【００５４】
一方、担当ホスト判定部３０６が上記口座情報を他行ホスト担当であると判定すると、制御部３０２は、一時記憶部３０３で保持する口座情報と、出金要求額とに生体情報の認証完了情報を付加して該当する他行ホスト４００へ送信する。
【００５５】
顧客情報管理部３０５は、顧客情報ＤＢ３０４で保持する顧客情報の更新及び出金判定を行う部であり、出金判定の指示を受けると、一時記憶部３０３で保持する口座情報に基づいて顧客情報ＤＢ３０４を検索し、該当する顧客情報の残高情報と一時記憶部３０３で保持する出金要求額とを比較して該出金要求額が該残高情報以下であると、出金許可と判定する。顧客情報管理部３０５が出金許可と判定すると、制御部３０２は、出金許可信号を生成し、該出金許可信号を自動取引装置２００へ送信する。
【００５６】
一方、顧客情報管理部３０５が残高情報が出金要求額より少ないため出金不可と判定すると、制御部３０２は、出金不可信号を生成し、該出金不可信号を自動取引装置２００へ送信する。
【００５７】
制御部３０２は、自動取引装置２００から口座情報と出金額とを取得すると、該口座情報と該出金額とを一時記憶部３０３に記憶し、顧客情報管理部３０５へ顧客出入金情報更新を指示する。
【００５８】
そして、顧客情報管理部３０５は、顧客出入金情報更新の指示を受けると、一時記憶部３０３で保持する口座情報に基づいて顧客情報ＤＢ３０４を検索し、該当する顧客情報を一時記憶部３０３で保持する出金額に基づいて残高情報および出入金情報を更新する。
【００５９】
＜実施例１の動作＞
次に、本発明の個人認証システムの実施例１の動作について図５に示すフローチャートを用いて説明する。ここで、顧客は、自行の口座を保有しており、自行のＩＣカード１００（顧客生体情報＝顧客指先静脈情報）を保持しているものとする。
【００６０】
自動取引装置２００の図示しないセンサが顧客を検知すると、制御部２０２は、図示しないメモリの制御プログラムを実行し、表示部２０３に備えるディスプレイに例えば「カードを挿入部に挿入してください。」というメッセージを示すカード挿入指示画面を表示させる。
【００６１】
顧客が上記カード挿入指示画面を参照し、自動取引装置２００の図示しないカード挿入部にＩＣカード１００を挿入すると、カード読取部２０４は、ＩＣカード１００が保持する口座情報（金融機関コード、支店コード、口座番号）と、顧客生体情報との読み取りを行う（ステップＳ１０１）。
【００６２】
カード読取部２０４が上記口座情報と、顧客生体情報とを取得すると、制御部２０２は、該口座情報と、該顧客生体情報とを一時記憶部２０５に記憶させると共に、静脈情報種類判定部２０６へ静脈情報の種類の判定を指示する。
【００６３】
そして、制御部２０２は、静脈情報種類判定部２０６へ静脈情報の種類の判定を指示すると共に、図示しないメモリの制御プログラムを実行し、顧客に対して生体情報読取部２０７の手のひら固定器２０７１に右の手のひらを固定するよう指示する手のひら固定指示画面を表示部２０３に表示させる。
【００６４】
静脈情報種類判定部２０６は、静脈情報の種類の判定の指示を受けると、上記顧客生体情報から指先静脈を示す特徴コードを抽出し、該特徴コードに基づいて顧客指先静脈情報であると判定する（ステップＳ１０２）。
【００６５】
そして、静脈情報種類判定部２０６が顧客指先静脈情報であると判定すると、制御部２０２は、指先撮影用カメラ２０７４へ指先撮影を指示する。
【００６６】
一方、顧客は、表示部２０３に表示された手のひら固定指示画面を参照して、生体情報読取部２０７に備える手のひら固定器２０７１及び手のひら固定器支柱２０７２を用いて右の手のひらを固定する。
【００６７】
ＩＲ照明２０７３は、生体情報読取部２０７に備える図示しないセンサが手のひら固定器２０７１に顧客の手のひらが固定されたことを感知すると、該顧客の手のひらに近赤外線を照射する。
【００６８】
指先撮影用カメラ２０７４は、指先撮影の指示を受け、生体情報読取部２０７に備えた図示しないセンサが手のひら固定器２０７１に顧客の手のひらが固定されたことを感知すると、ＩＲ照明２０７３に近赤外線を照射された顧客の指先を撮影して指先の静脈パターンを示す指先静脈画像を生成する（ステップＳ１０３）。
【００６９】
指先撮影用カメラ２０７４が指先静脈画像を生成すると、制御部２０２は、生体情報生成部２０８へ指先静脈情報の生成を指示する。
【００７０】
生体情報生成部２０８は、指先静脈情報の生成の指示を受けると、指先静脈情報生成部２０８１を用いて上記指先静脈画像から例えば人差し指の指先の静脈パターンを抽出し、該指先の静脈パターンをコード化した指先静脈情報を生成する（ステップＳ１０４）。
【００７１】
生体情報生成部２０８が指先静脈情報を生成すると、制御部２０２は、該指先静脈情報をカード読取部２０４を介して自行のＩＣカード１００へ供給する。
【００７２】
自行のＩＣカード１００のＣＰＵ１０１は、上記指先静脈情報を取得すると、生体認証判定部１０４へ生体認証判定を指示する。
【００７３】
生体認証判定部１０４は、生体認証判定の指示を受けると、顧客生体情報保持部１０３で保持する顧客指先静脈情報と、上記指先静脈情報とを照合して一致不一致を判定し（ステップＳ１０５）、一致と判定すると、ＣＰＵ１０１は、認証一致信号を生成し、該認証一致信号を自動取引装置２００へ送信する。
【００７４】
一方、生体認証判定部１０４が不一致と判定すると、ＣＰＵ１０１は、認証不一致信号を生成し、該認証不一致信号を自動取引装置２００へ供給する。
【００７５】
自動取引装置２００の制御部２０２は、上記認証不一致信号を取得すると、図示しないメモリの制御プログラムを実行し、表示部２０３に備えるディスプレイに例えば「生体認証が不一致です。」というメッセージを示す生体認証不一致通知画面を表示させ、図示しないカード排出部からＩＣカード１００を排出し、金融取引処理を中止する。
【００７６】
一方、自動取引装置２００の制御部２０２は、上記認証一致信号を取得すると、図示しないメモリの制御プログラムを実行し、表示部２０３に備えるディスプレイに例えば「要求金額を入力してください。」というメッセージと共に顧客が出金要求額を入力するための出金要求額入力画面を表示させる。
【００７７】
顧客が表示部２０３に表示された出金要求額入力画面を参照して入力部２０９に備えるタッチパネルから出金要求額例えば「２５，０００円」を入力すると（ステップＳ１０６）、制御部２０２は、該出金要求額と、一時記憶部２０５で保持する口座情報とを通信部２０１を介して自行ホスト３００へ送信する。
【００７８】
自行ホスト３００の制御部３０２は、上記口座情報と、出金要求額「２５，０００円」を取得すると、該口座情報と、該出金要求額とを一時記憶部３０３に記憶し、担当ホスト判定部３０６に担当ホストの判定を指示する。
【００７９】
担当ホスト判定部３０６は、担当ホスト判定の指示を受けると、一時記憶部３０３で保持する口座情報の金融機関コードに基づいて自行ホスト３００の図示しない金融機関情報ＤＢを検索し、該金融機関コードが自行金融機関コードであるので、自行ホスト担当と判定する（ステップＳ１０７）。
【００８０】
担当ホスト判定部３０６が自行ホスト担当であると判定すると、制御部３０２は、顧客情報管理部３０５へ出金判定を指示する。
【００８１】
顧客情報管理部３０５は、出金判定の指示を受けると、一時記憶部３０３で保持する口座情報に基づいて顧客情報ＤＢ３０４を検索し、該当する顧客情報の残高情報と一時記憶部３０３で保持する出金要求額「２５，０００円」とを比較して該出金要求額が該残高情報以下であるか否かを判定する（ステップＳ１０８）。
【００８２】
そして、顧客情報管理部３０５が上記出金要求額「２５，０００円」が上記残高以下であると判定すると、制御部３０２は、出金許可信号を生成し、該出金許可信号を通信部３０１を介して自動取引装置２００へ送信する。
【００８３】
一方、顧客情報管理部３０５が上記出金要求額「２５，０００円」が上記残高より大きいと判定すると、制御部３０２は、出金不可信号を生成し、該出金不可信号を通信部３０１を介して自動取引装置２００へ送信する。
【００８４】
自動取引装置２００の制御部２０２は、出金不可信号を取得すると、図示しないメモリの制御プログラムを実行し、表示部２０３に備えるディスプレイに例えば「預金残高が出金要求２５，０００円以下のため、出金処理はできません」というメッセージを示す出金不可通知画面を表示させ、図示しない排出部からＩＣカード１００を排出し、金融取引処理を中止する。
【００８５】
一方、自動取引装置２００の制御部２０２は、出金許可信号を取得すると、入出金部２１０を動作させ、該入出金部２１０から出金要求額「２５，０００円」分の紙幣を出金する（ステップＳ１０９）。そして、入出金部２１０が出金を終了すると、制御部２０２は、出金額「２５，０００円」と、一時記憶部２０５で保持する口座情報とを通信部２０１を介して自行ホスト３００へ送信すると共に、図示しない排出部からＩＣカード１００を排出し、金融取引処理を終了する。
【００８６】
自行ホスト３００の制御部３０２は、出金額「２５，０００円」と口座情報とを取得すると、該出金額と、該口座情報とを一時記憶部３０３に記憶し、顧客情報管理部３０５へ顧客出金情報更新を指示する。
【００８７】
顧客情報管理部３０５は、顧客出金情報更新の指示を受けると、一時記憶部３０３で保持する口座情報に基づいて顧客情報ＤＢ３０４を検索し、該当する顧客情報の残高情報及び出入金情報を該一時記憶部３０３で保持する出金額「２５，０００円」に基づいて更新する（ステップＳ１１０）。
【００８８】
＜実施例１の効果＞
実施例１の個人認証システムによれば、手のひら固定器２０７１及び手のひら固定器支柱２０７２とを用いて顧客の手のひらを位置決めするようにしたので、静脈情報種類判定部２０６の判定結果に基づいて指先撮影用カメラ２０７４で顧客の指先を撮影して指先の静脈パターンを示す指先静脈画像を生成する及び手のひら撮影用カメラ２０７５で顧客の手のひらを撮影して手のひらの静脈パターンを示す手のひら静脈画像を生成するいずれかを行うことができる。
【実施例２】
【００８９】
＜実施例２の構成＞
本発明の実施例２の個人認証システムは、図６に示すように、ＩＣカード１００と、自動取引装置２００ａと、該自動取引装置２００ａとネットワーク５００を介して接続されている自行ホスト３００と、他行ホスト４００とで構成されている。
【００９０】
実施例２は、実施例１の個人認証システムの自動取引装置２００に備えられた指先撮影用カメラ２０７４及び手のひら撮影用カメラ２０７５の代わりに、顧客の指先及び手のひらを撮影するための広角カメラからなる指先手のひら撮影用カメラ２０７７を１台備え、指先静脈情報生成部２０８１に該広角カメラの撮影により取得した静脈画像から指先静脈パターンを抽出してコード化する機能と、手のひら静脈情報生成部２０８２に静脈画像から手のひら静脈情報パターンを抽出してコード化する機能を追加したものである。
【００９１】
自動取引装置２００ａは、顧客が例えば現金引出などの金融取引を行うために操作する端末であり、ネットワーク５００に接続されている通信部２０１と、制御部２０２ａと、表示部２０３と、カード読取部２０４と、一時記憶部２０５と、静脈情報種類判定部２０６と、生体情報読取部２０７ａと、生体情報生成部２０８ａと、入力部２０９と、入出金部２１０とを備える。
【００９２】
生体情報読取部２０７ａは、自動取引装置２００ａを操作する顧客から指先静脈パターン及び手のひら静脈パターンを示す手全体の静脈情報を取得する部であり、手のひら固定器２０７１と、手のひら固定器支柱２０７２と、ＩＲ（Ｉｎｆｒａｒｅｄ  Ｒａｙｓ）照明２０７３と、ガラス板２０７６と、指先手のひら撮影用カメラ２０７７とを備える。図７に本発明に係る実施例２の生体情報読取部２０７ａの構成を示す。
【００９３】
手のひら固定器２０７１及び手のひら固定器支柱２０７２の形状、機能及び寸法は実施例１と同じである。ここで、手のひら固定器２０７１及び手のひら固定器支柱２０７２は、顧客の指先及び手のひらを指先手のひら撮影用カメラ２０７７で撮影するために、顧客の手のひらを位置決めするための器具である。そして、手のひら固定器支柱２０７２は、指先手のひら撮影用カメラ２０７７に接するように設置されている。
【００９４】
指先手のひら撮影用カメラ２０７７は、顧客の指先の静脈パターン及び手のひらの静脈パターンを撮影するための広角カメラであり、後述する撮影指示を受け、生体情報読取部２０７ａに備えた図示しないセンサが手のひら固定器２０７１に顧客の手のひらが固定されたことを感知すると、ＩＲ照明２０７３に近赤外線を照射された顧客の指先及び手のひらを撮影して手全体の静脈パターンを示す静脈画像を生成する。
【００９５】
静脈情報種類判定部２０６が顧客指先静脈情報であると判定すると、制御部２０２ａは、指先手のひら撮影用カメラ２０７７へ撮影を指示すると共に、生体情報生成部２０８ａへ指先静脈情報の生成を指示する。
【００９６】
一方、静脈情報種類判定部２０６が顧客手のひら静脈情報であると判定すると、制御部２０２ａは、指先手のひら撮影用カメラ２０７７へ撮影を指示すると共に、生体情報生成部２０８ａへ手のひら静脈情報の生成を指示する。
【００９７】
生体情報生成部２０８ａは、指先静脈情報の生成の指示を受けると、指先静脈情報生成部２０８１ａを用いて生体情報読取部２０７ａで生成した静脈画像から例えば人差し指の指先の位置を推定して該指先の静脈パターンを抽出し、該指先の静脈パターンをコード化した指先静脈情報を生成する。ここで、指先静脈情報生成部２０８１ａは、図示しない制御プログラムの設定に基づいて上記静脈画像から例えば人差し指の指先の位置を推定し、上記指先静脈情報を生成するものとする。
【００９８】
一方、生体情報生成部２０８ａは、手のひら静脈情報の生成の指示を受けると、手のひら静脈情報生成部２０８２ａを用いて生体情報読取部２０７ａで生成した静脈情報から手のひらの位置を推定して該手のひらの静脈パターンを抽出し、該手のひら静脈パターンをコード化した手のひら静脈情報を生成する。ここで、手のひら静脈情報生成部２０８２ａは、図示しない制御プログラムの設定に基づいて上記静脈画像から手のひらの位置を推定し、上記手のひら静脈情報を生成するものとする。
【００９９】
生体情報生成部２０８ａで指先静脈情報を生成すると、制御部２０２ａは、該指先静脈情報をＩＣカード１００へ供給する。
【０１００】
一方、生体情報生成部２０８ａで手のひら静脈情報を生成すると、制御部２０２ａは、該手のひら静脈情報をＩＣカード１００へ供給する。
【０１０１】
尚、その他の構成は、実施例１の個人認証システムの構成と同じである。
【０１０２】
＜実施例２の動作＞
次に、本発明に係る実施例２の静脈認証手段を有する個人認証システムの動作について図８に示すフローチャートを用いて説明する。ここで、顧客は、自行の口座を保有しており、自行のＩＣカード１００（顧客生体情報＝顧客指先静脈情報）を保持しているものとする。
【０１０３】
実施例２のステップＳ２０１、Ｓ２０２の動作は、実施例１のステップＳ１０１、Ｓ１０２の動作と同じである。
【０１０４】
静脈情報種類判定部２０６が顧客指先静脈情報であると判定すると、制御部２０２ａは、指先手のひら撮影用カメラ２０７７へ撮影を指示すると共に、生体情報生成部２０８ａへ指先静脈情報の生成を指示する。
【０１０５】
一方、顧客は、表示部２０３に表示された手のひら固定指示画面を参照して、生体情報読取部２０７ａに備える手のひら固定器２０７１及び手のひら固定器支柱２０７２を用いて右の手のひらを固定する。
【０１０６】
ＩＲ照明２０７３は、生体情報読取部２０７ａに備える図示しないセンサが手のひら固定器２０７１に顧客の手のひらが固定されたことを感知すると、該顧客の手のひらに近赤外線を照射する。
【０１０７】
指先手のひら撮影用カメラ２０７７は、撮影の指示を受け、生体情報読取部２０７ａに備えた図示しないセンサが手のひら固定器２０７１に顧客の手のひらが固定されたことを感知すると、ＩＲ照明２０７３に近赤外線を照射された顧客の指先及び手のひらを撮影して手全体の静脈パターンを示す静脈画像を生成する（ステップＳ２０３）。
【０１０８】
生体情報生成部２０８ａは、指先静脈情報の生成の指示を受けると、指先静脈情報生成部２０８１ａを用いて上記静脈画像から例えば人差し指の指先の静脈パターンを抽出し、該指先の静脈パターンをコード化した指先静脈情報を生成する（ステップＳ２０４）。
【０１０９】
実施例２のステップＳ２０５〜Ｓ２１０の動作は、実施例１のステップＳ１０５〜１１０の動作と同じである。
【０１１０】
＜実施例２の効果＞
実施例２の個人認証システムによれば、指先手のひら撮影用カメラ２０７７で顧客の手全体を撮影すると、指先及び手のひらの静脈パターンを含む静脈画像を生成するので、撮影装置１台のみを有する安価な個人認証システムを構成することができる。
【０１１１】
尚、本実施例では、担当ホスト判定部３０６が他行ホスト担当であると判定し、制御部３０２が一時記憶部３０３で保持する上記口座情報と、上記出金要求金額とを認証完了情報と共に通信部３０１を介して他行ホスト４００へ送信すると、該他行ホスト４００は、該認証完了情報を受けることで、自己が生体情報の認証を行わなくても認証終了したと判断し、通常の取引処理を実行する。
【０１１２】
また、本実施例では、生体認証判定部１０４をＩＣカード１００内に設けたが、自動取引装置２００内に設けるという構成にしてもよい。
【０１１３】
更に、本実施例では、指先静脈情報及び手のひら静脈情報のいずれかを顧客の個人識別に用いたが、これら両静脈情報を用いて顧客の個人識別を行うという構成にしてもよい。
【０１１４】
上記構成において、ＩＣカード１００の顧客生体情報保持部１０３は、顧客指先静脈情報及び顧客手のひら静脈情報の両静脈情報を保持する。ここで、ＩＣカード１００の生体認証判定部１０４は、上記両静脈情報と、自動取引装置２００から取得した指先静脈情報及び手のひら静脈情報とを静脈の種類に基づいて各々照合し、両静脈情報の照合結果に基づいて照合結果が一致するか否かを判定する機能を有する。
【産業上の利用可能性】
【０１１５】
前記した実施例では、金融機関における個人認証システムについて説明したが、これに限る必要はなく、例えば企業及び研究施設などの出入室管理における個人認証システムに用いてもよい。
【図面の簡単な説明】
【０１１６】
【図１】本発明に係る実施例１の個人認証システムを示すブロック図である。
【図２】本発明に係る実施例１の生体情報読取部の構成を示す図である。
【図３】生体情報読取部における顧客の生体情報読取時の一例を示す図である。
【図４】指先撮影用カメラ及び手のひら撮影用カメラの撮影範囲の一例を示す図である。
【図５】本発明に係る実施例１の個人認証システムの動作を示すフローチャートである。
【図６】本発明に係る実施例２の個人認証システムを示すブロック図である。
【図７】本発明に係る実施例２の生体情報読取部の構成を示す図である。
【図８】本発明に係る実施例２の個人認証システムの動作を示すフローチャートである。
【符号の説明】
【０１１７】
１００    ＩＣカード
１０１    ＣＰＵ
１０２    口座情報保持部
１０３    顧客生体情報保持部
１０４    生体認証判定部
２００    自動取引装置
２０１    通信部
２０２    制御部
２０３    表示部
２０４    カード読取部
２０５    一時記憶部
２０６    静脈情報種類判定部
２０７    生体情報読取部
２０７１  手のひら固定器
２０７２  手のひら固定器支柱
２０７３  ＩＲ照明
２０７４  指先撮影用カメラ
２０７５  手のひら撮影用カメラ
２０７６  ガラス板
２０７７  指先手のひら撮影用カメラ
２０８    生体情報生成部
２０８１  指先静脈情報生成部
２０８２  手のひら静脈情報生成部
２０９    入力部
２１０    入出金部
３００    自行ホスト
３０１    通信部
３０２    制御部
３０３    一時記憶部
３０４    顧客情報ＤＢ（データベース）
３０５    顧客情報管理部
３０６    担当ホスト判定部
４００    他行ホスト
５００    ネットワーク
【図１】
2007334659.tif 000003
【図２】
2007334659.tif 000004
【図３】
2007334659.tif 000005
【図４】
2007334659.tif 000006
【図５】
2007334659.tif 000007
【図６】
2007334659.tif 000008
【図７】
2007334659.tif 000009
【図８】
2007334659.tif 000010